(57)【要約】【課題】オフタイマ機能による電源オフまであとどのくらいであるかを、ユーザに対して分かりやすく、かつ、簡易な構成で報知できる画像表示装置を提供すること。【解決手段】本発明のリアプロジェクタは、橙色ＬＥＤおよび緑色ＬＥＤを備え、制御手段は、操作手段から出力された操作信号を取得する入力信号取得部と、オフタイマ時間の設定を促すオフタイマ設定画面をスクリーン上に表示させる設定画面表示部と、オフタイマ設定画面で設定されたオフタイマ時間を取得するオフタイマ時間取得部と、オフタイマ実行信号取得時からの経過時間Ｔを取得する経過時間取得部と、オフタイマ時間および経過時間の差に基づいて、各ＬＥＤの点灯・消灯を切り替える点灯切替制御部とを備え、点灯切替制御部は、オフタイマ時間および経過時間の差が少なくなるにつれて、各ＬＥＤの点灯・消灯の切替間隔を短縮する。【選択図】図５
2007248873.tif 000002
【特許請求の範囲】
【請求項１】
入力する画像情報に基づく画像を表示する画像表示手段と、入力操作に応じた操作信号を出力する操作手段と、これらを含む装置本体の駆動制御を行う制御手段と、これらを収納する外装筐体とを備えた画像表示装置であって、
前記外装筐体には発光部が設けられ、
前記制御手段は、
前記操作手段から出力された操作信号を取得する入力信号取得部と、
前記入力信号取得部により操作信号としてのオフタイマ設定信号が取得されると、オフタイマ時間の設定を促すオフタイマ設定画面を前記画像表示手段に表示させる設定画面表示部と、
前記入力信号取得部により操作信号としてのオフタイマ実行信号が取得されると、前記オフタイマ設定画面で設定されたオフタイマ時間を取得するオフタイマ時間取得部と、
前記入力信号取得部により操作信号としてのオフタイマ実行信号が取得されると、計時手段に計時を開始させて、オフタイマ実行信号取得時からの経過時間を取得する経過時間取得部と、
前記オフタイマ時間および前記経過時間の差に基づいて、前記発光部の表示オン状態・表示オフ状態を切り替える点灯切替制御部とを備え、
前記点灯切替制御部は、前記オフタイマ時間および前記経過時間の差が小さくなるにつれて、前記発光部の表示オン状態・表示オフ状態の表示切替間隔を短縮することを特徴とする画像表示装置。
【請求項２】
請求項１に記載の画像表示装置において、
前記点灯切替制御部は、前記オフタイマ時間および前記経過時間の差が小さくなるにつれて、前記発光部の表示オン状態および表示オフ状態のいずれか一方の間隔を、表示オン状態および表示オフ状態のいずれか他方の間隔に序々に近づけながら、前記発光部の切替制御を行うことを特徴とする画像表示装置。  
【請求項３】
請求項１に記載の画像表示装置において、
前記点灯切替制御部は、前記オフタイマ時間および前記経過時間の差が小さくなるにつれて、前記発光部の表示オン状態・表示オフ状態が１回ずつ同間隔で切り替えられる周期を序々に短くしながら、前記発光部の切替制御を行うことを特徴とする画像表示装置。
【請求項４】
請求項１〜請求項３のいずれかに記載の画像表示装置において、
発光色の異なる２つの前記発光部を備え、
前記点灯切替制御部は、２つの前記発光部の表示オン状態・表示オフ状態をそれぞれ交互に切り替える制御を行うことを特徴とする画像表示装置。
【発明の詳細な説明】
【技術分野】
【０００１】
本発明は、画像表示装置に関する。
【背景技術】
【０００２】
従来、画像表示装置として、光源ランプから射出された光束を、画像情報に応じて変調して光学像を形成し、当該光学像を投射画像としてスクリーン上に投射するリアプロジェクタが知られている。
このようなリアプロジェクタは、オフタイマ機能を備えているものが多い。オフタイマ機能とは、リアプロジェクタ鑑賞時に、ユーザによってオフタイマ時間が設定されると、設定されたオフタイマ時間経過後にリアプロジェクタの電源を自動的に遮断する機能である。
このオフタイマ実行時に、表示画面中にオフタイマの残り時間を表示させるなどして、ユーザに電源オフまであとどのくらいであるかを報知するリアプロジェクタが知られている。他にも、光源ランプのクールダウン時に、クールダウン完了まであとどのくらいであるかを、ＬＥＤ（Light Emitting Diode）を用いてユーザに知らせるプロジェクタが開示されている（例えば、特許文献１および特許文献２参照）。
【０００３】
特許文献１に記載のプロジェクタは、光源ランプのクールダウン完了までの残り時間を、赤・緑一体型ＬＥＤの点灯によってユーザに知らせている。具体的には、クールダウン完了までの時間に応じて、赤・緑一体型ＬＥＤの赤色および緑色の発光比率を調節し、赤・緑一体型ＬＥＤの発光色を緑、オレンジ、赤と変化させることで、クールダウン完了までの残り時間を示している。
特許文献２に記載のプロジェクタは、光源ランプのウォームアップおよびクールダウン完了までの残り時間を、複数の表示部またはインジケータによってユーザに知らせている。具体的には、光源ランプのウォームアップが進むにつれて表示部が１つずつ点灯していき、ウォームアップ完了と同時に全表示部が点灯する設定となっている。また、インジケータは、光源ランプのウォームアップが進むにつれて指標部の表示位置を移動させる設定となっている。
【０００４】
【特許文献１】特開２００３−１２１９２９号公報
【特許文献２】特開２００５−１７５８３号公報
【発明の開示】
【発明が解決しようとする課題】
【０００５】
しかしながら、特許文献１に記載のプロジェクタでは、赤・緑一体型ＬＥＤの発光色の変化によってクールダウン処理完了までの残り時間を示していることから、ユーザは、予めＬＥＤの発光色の意味を理解しておく必要がある。すなわち、発光色の意味を知らないユーザにとっては、ＬＥＤの発光色からクールダウン処理完了までの残り時間を知ることはできない。
また、特許文献２に記載のプロジェクタは、複数の表示部を備える必要がある。また、インジケータも指標部の表示位置を移動させるために複数の発光部を備える必要がある。このため、プロジェクタの構成が複雑であり、さらに、これら表示部およびインジケータの制御が複雑であるという課題がある。
さらに、表示画面中にオフタイマの残り時間を表示させる場合も、表示画面の鑑賞の妨げとなる恐れがある。
【０００６】
本発明の目的は、オフタイマ機能による電源オフまであとどのくらいであるかを、ユーザに対して分かりやすく、かつ、簡易な構成で報知できる画像表示装置を提供することにある。
【課題を解決するための手段】
【０００７】
前記した目的を達するために、本発明の画像表示装置は、入力する画像情報に基づく画像を表示する画像表示手段と、入力操作に応じた操作信号を出力する操作手段と、これらを含む装置本体の駆動制御を行う制御手段と、これらを収納する外装筐体とを備えた画像表示装置であって、前記外装筐体には発光部が設けられ、前記制御手段は、前記操作手段から出力された操作信号を取得する入力信号取得部と、前記入力信号取得部により操作信号としてのオフタイマ設定信号が取得されると、オフタイマ時間の設定を促すオフタイマ設定画面を前記画像表示手段に表示させる設定画面表示部と、前記入力信号取得部により操作信号としてのオフタイマ実行信号が取得されると、前記オフタイマ設定画面で設定されたオフタイマ時間を取得するオフタイマ時間取得部と、前記入力信号取得部により操作信号としてのオフタイマ実行信号が取得されると、計時手段に計時を開始させて、オフタイマ実行信号取得時からの経過時間を取得する経過時間取得部と、前記オフタイマ時間および前記経過時間の差に基づいて、前記発光部の表示オン状態・表示オフ状態を切り替える点灯切替制御部とを備え、前記点灯切替制御部は、前記オフタイマ時間および前記経過時間の差が小さくなるにつれて、前記発光部の表示オン状態・表示オフ状態の切替間隔を短縮することを特徴とする。
【０００８】
発光部として、例えば、ＬＥＤ（Light Emitting Diode）、ＥＬ（electro-luminescence）ランプおよび白熱灯等が挙げられる。
また、画像表示装置として、フロントプロジェクタ、リアプロジェクタ、プラズマディスプレイ、液晶ディスプレイ、ＣＲＴ（Cathode Ray Tube）ディスプレイ、モニタ付デジタルカメラ、および、モニタ付プリンタ等を採用してもよい。
【０００９】
これまでに、一体型ＬＥＤによる発光色の色変化によって、駆動処理の進行状況を報知する画像表示装置も開示されているが、これでは、ユーザが一体型ＬＥＤの発光色が持つ意味を予め理解しておく必要があった。
これに対し本発明によれば、発光部は、オフタイマ機能実行後、電源オフが近づくにつれて、短い間隔で表示オン状態・表示オフ状態の切替を繰り返すようになる。ユーザは、この発光部の表示切替間隔の変化を基に、オフタイマ機能による電源オフまでどのくらいであるかを把握することができる。すなわち、ユーザは、発光部が表示オン状態・表示オフ状態の切替をゆっくり繰り返しているときは、電源オフまでまだしばらく時間があり、発光部が表示オン状態・表示オフ状態を素早く切り替えているときは、電源オフ間近であることを、感覚的に把握することができる。従って、本発明の画像表示装置は、オフタイマ機能実行中、および、オフタイマ機能による電源オフまであとどのくらいであるかを、ユーザに対し分かりやすく報知することができる。
【００１０】
さらに、前述したように、本発明の画像表示装置は、発光部の表示オン状態・表示オフ状態の切替間隔を変化させることでオフタイマ処理の進行状況を報知するので、発光部の発光色を変化させる必要はない。従って、発光部は、一種の発光色を発光できればよく、一体型ＬＥＤなど複雑な構成でなくてよいため、本発明の画像表示装置は、簡単な構成でオフタイマ処理の進行状況をユーザに報知することができる。
また、同様に、本発明の画像表示装置は、発光部の表示切替間隔を変化させることでオフタイマ処理の進行状況を報知するので、発光部は１つでよい。従って、本発明の画像表示装置は、発光部を複数備える必要がないので、簡単な構成でオフタイマ処理の進行状況をユーザに報知することができる。
【００１１】
本発明では、前記点灯切替制御部は、前記オフタイマ時間および前記経過時間の差が小さくなるにつれて、前記発光部の表示オン状態および表示オフ状態のいずれか一方の間隔を、表示オン状態および表示オフ状態のいずれか他方の間隔に序々に近づけながら、前記発光部の切替制御を行うことが好ましい。
本発明によれば、発光部の表示オン状態・表示オフ状態の切替は、オフタイマ処理開始時には、表示オン状態時間および表示オフ状態時間のいずれか一方が長く、電源オフが近づくにつれて、このいずれか一方の時間間隔が短くなっていき、表示オン状態時間および表示オフ状態時間が同間隔に近づいていく。すなわち、発光部の表示挙動は、電源オフが近づくにつれて、ほぼ表示オン状態（表示オフ状態）から表示オン状態・表示オフ状態の繰り返しへ変化することになり、オフタイマ処理開始時における発光部のほぼ表示オン状態（表示オフ状態）の意味を予めユーザが理解していることを前提とすれば、ユーザにとって発光部の表示状況からオフタイマ処理の進行状況を把握しやすくなる。従って、本発明の画像表示装置は、オフタイマ処理の進行状況をユーザに対し分かりやすく報知することができる。
【００１２】
本発明では、前記点灯切替制御部は、前記オフタイマ時間および前記経過時間の差が小さくなるにつれて、前記発光部の表示オン状態・表示オフ状態が１回ずつ同間隔で切り替えられる周期を序々に短くしながら、前記発光部の切替制御を行うことが好ましい。
本発明によれば、オフタイマ機能による電源オフが近づくにつれ、発光部の表示切替の周期が短縮されることで、表示オン状態・表示オフ状態の切替間隔が短くなっていく。すなわち、ユーザにとって発光部の表示切替の変化が分かりやすくなる。従って、ユーザは、発光部の表示切替間隔から、画像表示装置のオフタイマ処理の進行状況、および、オフタイマ機能による電源オフまであとどのくらいであるかを把握することができるので、本発明の画像表示装置は、オフタイマ処理の進行状況をユーザに対し分かりやすく報知することができる。
【００１３】
本発明では、発光色の異なる２つの前記発光部を備え、前記点灯切替制御部は、２つの前記発光部の表示オン状態・表示オフ状態をそれぞれ交互に切り替える制御を行うことが好ましい。
本発明によれば、発光色の異なる２つの発光部が交互に表示オン状態・表示オフ状態に切り替えられ、オフタイマ機能による電源オフが近づくにつれて、この２つの発光部による発光色の切替間隔が序々に短くなっていく。従って、ユーザは、発光色の切替間隔の変化から、オフタイマ機能による電源オフまであとどのくらいであるかを把握することができるので、本発明の画像表示装置は、オフタイマ処理の進行状況をユーザに対し分かりやすく報知することができる。
【発明を実施するための最良の形態】
【００１４】
図を用いて、本発明の一実施形態を説明する。本実施形態では、画像表示装置としてリアプロジェクタ１を採用する。
〔リアプロジェクタ１の構成〕
リアプロジェクタ１は、光源ランプ２１１から射出された光束を画像情報に応じて変調して光学像を形成し、当該光学像をスクリーンに投射する光学機器である。
リアプロジェクタ１は、光学像の形成および投射を行う光学ユニット２と、光学ユニット２から投射された投射画像が投影されるスクリーン（図示略）等を備えている。
〔光学ユニット２の構成〕
図１は、リアプロジェクタ１に内蔵された光学ユニット２の光学系の構成を示す模式平面図である。
光学ユニット２は、光源装置２１と、インテグレータ照明光学系２２と、色分離光学系２３と、リレー光学系２４と、光学装置２５と、投射レンズ２６と、これらを内部に収納する光学部品用筐体（図示略）と、投射レンズ２６を保持固定するヘッド体（図示省略）とを備えて構成されている。
【００１５】
光源装置２１は、高圧放電ランプからなる光源ランプ２１１と、リフレクタ２１２と、防爆ガラス２１３とを備えて構成されている。そして、この光源装置２１は、光源ランプ２１１から射出された放射状の光線をリフレクタ２１２で反射して平行光線とし、この平行光線を、防爆ガラス２１３を介して外部へと射出する。
【００１６】
このうち、光源ランプ２１１は、ガラスから成る放電管と、放電管内に対向して配置された陽極電極および陰極電極とを備えている。放電管には、水銀および希ガス等が封入されている。両電極は、高融点金属棒から成り、それぞれ導通を得るためのタングステン棒およびリード線等が接続されている。
本実施形態では、高圧水銀ランプを採用しているが、メタルハライドランプやハロゲンランプ等を採用することもできる。
また、リフレクタ２１２としては、放物面鏡を採用しているが、放物面鏡の代わりに、平行化凹レンズおよび楕円面鏡を組み合わせたものを採用してもよい。
【００１７】
防爆ガラス２１３は、リフレクタ２１２の開口部分を閉塞する透光性のガラス部材であり、光源ランプ２１１が破裂した場合に、当該光源ランプ２１１の破片が外部に飛散しないように構成されている。
【００１８】
インテグレータ照明光学系２２は、光学装置２５を構成する後述する３つの液晶パネル２５１の画像形成領域をほぼ均一に照明するための光学系である。このインテグレータ照明光学系２２は、第１レンズアレイ２２１と、第２レンズアレイ２２２と、偏光変換素子２２３と、重畳レンズ２２４とを備えている。
【００１９】
第１レンズアレイ２２１は、光軸方向から見てほぼ矩形状の輪郭を有する小レンズがマトリクス状に配列された構成を有し、各小レンズは、光源装置２１から射出された光束を複数の部分光束に分割している。
第２レンズアレイ２２２は、第１レンズアレイ２２１と略同様な構成を有しており、小レンズがマトリクス状に配列された構成を有している。この第２レンズアレイ２２２は、重畳レンズ２２４とともに、第１レンズアレイ２２１の各小レンズの像を後述する液晶パネル２５１上に結像させる機能を有する。
【００２０】
偏光変換素子２２３は、第２レンズアレイ２２２と重畳レンズ２２４との間に配設される。このような偏光変換素子２２３は、第２レンズアレイ２２２からの光を略１種類の直線偏光に変換するものであり、これにより、光学装置２５での光の利用効率が高められている。
【００２１】
具体的に、偏光変換素子２２３によって略１種類の直線偏光に変換された各部分光は、重畳レンズ２２４によって最終的に光学装置２５の後述する液晶パネル２５１上にほぼ重畳される。偏光光を変調するタイプの液晶パネル２５１を用いたリアプロジェクタ１では、１種類の直線偏光しか利用できないため、他種類のランダムな偏光光を発する光源ランプ２１１からの光のほぼ半分が利用されない。そこで、偏光変換素子２２３を用いることにより、光源ランプ２１１から射出された光束を略１種類の直線偏光に変換し、光学装置２５での光の利用効率を高めている。
【００２２】
色分離光学系２３は、２枚のダイクロイックミラー２３１，２３２と、反射ミラー２３３とを備え、ダイクロイックミラー２３１，２３２により、インテグレータ照明光学系２２から射出された複数の部分光束を赤（Ｒ）、緑（Ｇ）、青（Ｂ）の３色の色光に分離する機能を有している。
【００２３】
リレー光学系２４は、入射側レンズ２４１と、リレーレンズ２４３と、反射ミラー２４２，２４４とを備え、色分離光学系２３で分離された色光である赤色光を光学装置２５の後述する赤色光用の液晶パネル２５１Ｒまで導く機能を有している。
【００２４】
この際、色分離光学系２３のダイクロイックミラー２３１では、インテグレータ照明光学系２２から射出された光束の赤色光成分と緑色光成分とが透過するとともに、青色光成分が反射する。ダイクロイックミラー２３１によって反射した青色光は、反射ミラー２３３で反射し、フィールドレンズ２５５を通って、光学装置２５の後述する青色光用の液晶パネル２５１Ｂに到達する。このフィールドレンズ２５５は、第２レンズアレイ２２２から射出された各部分光束をその中心軸（主光線）に対して平行な光束に変換する。他の緑色光用、赤色光用の光変調装置の光束入射側に設けられたフィールドレンズ２５５も同様である。
【００２５】
また、ダイクロイックミラー２３１を透過した赤色光と緑色光のうちで、緑色光は、ダイクロイックミラー２３２によって反射し、フィールドレンズ２５５を通って、緑色光用の液晶パネル２５１Ｇに到達する。一方、赤色光は、ダイクロイックミラー２３２を透過してリレー光学系２４を通り、さらにフィールドレンズ２５５を通って、赤色光用の液晶パネル２５１Ｒに到達する。
【００２６】
なお、赤色光にリレー光学系２４が用いられているのは、赤色光の光路の長さが他の色
光の光路の長さよりも長いため、光の発散等による光の利用効率の低下を防止するためである。すなわち、入射側レンズ２４１に入射した部分光束をそのまま、フィールドレンズ２５５に伝えるためである。なお、リレー光学系２４には、３つの色光のうち赤色光を通す構成としたが、これに限らず、例えば、青色光、緑色光を通す構成としてもよい。
【００２７】
光学装置２５は、入射された光束を画像情報に応じて変調してカラー画像を形成するものである。光学装置２５は、色分離光学系２３で分離された各色光が入射される３つの入射側偏光板２５２と、各入射側偏光板２５２の光路後段に配置される３つの液晶パネル２５１（赤色光用の液晶パネルを２５１Ｒ、緑色光用の液晶パネルを２５１Ｇ、青色光用の液晶パネルを２５１Ｂとする）と、各液晶パネル２５１の光路後段に配置される３つの射出側偏光板２５３と、クロスダイクロイックプリズム２５４とを備える。
【００２８】
そして、これら入射側偏光板２５２、液晶パネル２５１、射出側偏光板２５３、およびクロスダイクロイックプリズム２５４は、一体的に装置化されている。なお、入射側偏光板２５２、液晶パネル２５１、および、射出側偏光板２５３は、具体的な図示は省略するが、所定の間隔を空けて配置されている。
【００２９】
入射側偏光板２５２は、偏光変換素子２２３で偏光方向が略一方向に揃えられた各色光が入射され、入射された光束のうち、偏光変換素子２２３で揃えられた光束の偏光軸と略同一方向の偏光光のみ透過させ、その他の光束を吸収するものである。この入射側偏光板２５２は、例えば、サファイアガラスまたは水晶等の透光性基板上に偏光膜が貼付された構成を有している。
【００３０】
液晶パネル２５１は、一対の透明ガラス基板に電気光学物質である液晶が密閉封入された構成を有し、後述する制御手段５から出力される制御信号に応じて、画像形成領域内にある前記液晶の配向状態が制御され、入射側偏光板２５２から射出された偏光光束の偏光方向を変調する。
射出側偏光板２５３は、入射側偏光板２５２と略同様の構成であり、液晶パネル２５１の画像形成領域から射出された光束のうち、入射側偏光板２５２における光束の透過軸と直交する偏光軸を有する光束のみ透過させ、その他の光束を吸収するものである。
【００３１】
クロスダイクロイックプリズム２５４は、射出側偏光板２５３から射出された色光毎に変調された光学像を合成してカラー画像を形成する光学素子である。このクロスダイクロイックプリズム２５４は、４つの直角プリズムを貼り合わせた平面視正方形状をなし、直角プリズム同士を貼り合わせた界面には、４つの誘電体多層膜が形成されている。これら誘電体多層膜は、液晶パネル２５１Ｒ，２５１Ｂから射出され射出側偏光板２５３を介した各色光を反射し、液晶パネル２５１Ｇから射出され射出側偏光板２５３を介した緑色光を透過する。このようにして、各液晶パネル２５１Ｒ，２５１Ｇ，２５１Ｂにて変調された各色光が合成され、カラー画像が形成される。
【００３２】
投射レンズ２６は、鏡筒内に複数のレンズ、および、入射光束を偏向するミラーが収納された構成を有し、光学装置２５から射出されたカラー画像を拡大し投射するものである。この投射レンズ２６は、光学装置２５の光束射出側に配置され、後述するヘッド体に固定されている。
【００３３】
光学部品用筐体は、内部に所定の照明光軸Ａが設定され、上述した光学部品２４〜２５を照明光軸Ａに対する所定位置に配置する。
ヘッド体は、例えばアルミニウム合金またはマグネシウム合金等の金属材料から構成され、光学装置２５および投射レンズ２６を一体化するとともに、一体化した装置を光学部品用筐体に対して取付けるものである。
【００３４】
図２は、リアプロジェクタ１の内部構成、および、制御手段５の機能的構成を説明するためのブロック図である。
リアプロジェクタ１は、前述した光学ユニット２の他に、光学ユニット２等を冷却する冷却ユニット（図示略）と、リアプロジェクタ１の筐体外面に露出して設けられた発光部としての橙色ＬＥＤ（Light Emitting Diode）３１および緑色ＬＥＤ３２と、操作手段４と、これら各構成の制御を行う制御手段５とを備えている。
【００３５】
このうち、橙色ＬＥＤ３１および緑色ＬＥＤ３２は、リアプロジェクタ１の外装筐体（図示略）の外面に露出して設けられている。橙色ＬＥＤ３１および緑色ＬＥＤ３２は、それぞれ橙色光および緑色光を発光し、後述する制御手段５の制御に従って点灯・消灯する。
操作手段４は、操作パネルと、複数の操作ボタンとを備えている。操作手段４は、操作ボタンの入力操作に応じて、リアプロジェクタ１の駆動を指示する操作信号を後述する制御手段５に出力する。操作信号として、例えば、オフタイマ時間の設定画面をスクリーン上に表示させるためのオフタイマ設定信号、および、オフタイマ機能を実行させるためのオフタイマ実行信号等が挙げられる。
【００３６】
〔制御手段５の構成〕
制御手段５は、リアプロジェクタ１の内部装置を制御する。ここでは、主にリアプロジェクタ１のオフタイマ処理に関わる機能的構成を説明する。
制御手段５は、制御手段５に入力する入力信号を処理する入力信号取得部５１と、リアプロジェクタ１のオフタイマ処理を行うオフタイマ処理部５２と、記憶部５３と、リアプロジェクタ１の電源オフ処理を行う電源オフ処理部５４と、ＬＥＤ駆動部５５，５６と、計時手段としてのタイマ５８とを備えている。
【００３７】
このうち、記憶部５３には、制御手段５内の機能的構成によって処理されるプログラムや各種データが格納されている。記憶部５３に格納されるプログラムとして、例えば、プロジェクタ駆動プログラム、電源オフプログラムおよびオフタイマ機能プログラム等が挙げられる。さらに、記憶部５３には、詳しくは後述するが、リアプロジェクタ１のオフタイマ処理に用いられる基準残り時間Ｔ０、および、点滅データベース５３１が格納されている。
【００３８】
電源オフ処理部５４は、リアプロジェクタ１の電源オフ処理を行う。具体的には、電源オフ処理部５４は、駆動データの保存、光源ランプ２１１の消灯およびクールダウン、そしてリアプロジェクタ１の電源遮断等を行う。
ＬＥＤ駆動部５５，５６は、後述するＬＥＤ制御部５２５による制御に従って、それぞれ橙色ＬＥＤ３１および緑色ＬＥＤ３２の点灯・消灯の切替を行う。
【００３９】
オフタイマ処理部５２は、操作手段４から出力するオフタイマ設定信号およびオフタイマ実行信号に応じて、リアプロジェクタ１のオフタイマ処理を行う。オフタイマ処理部５２は、オフタイマ設定部５２１と、タイマ制御部５２２と、経過時間取得部５２３と、点灯切替制御部５２４と、ＬＥＤ制御部５２５とを備えている。
オフタイマ設定部５２１は、設定画面表示部５２１１と、オフタイマ時間取得部５２１２とを備えている。
設定画面表示部５２１１は、入力信号取得部５１によりオフタイマ設定信号が取得されると、液晶パネル２５１に制御信号を出力して、ユーザにオフタイマ時間ＴＯＦＦ〔分〕の入力を促すオフタイマ設定画面をリアプロジェクタ１のスクリーンに表示させる。
オフタイマ時間取得部５２１２は、入力信号取得部５１によりオフタイマ実行信号が取得されると、オフタイマ設定画面上においてユーザにより入力されたオフタイマ時間ＴＯＦＦを取得する。
【００４０】
タイマ制御部５２２は、入力信号取得部５１によりオフタイマ実行信号が取得されると、タイマ５８に制御信号を出力し、オフタイマ実行信号取得時からの経過時間Ｔ〔分〕の計時を開始させる。
経過時間取得部５２３は、タイマ５８により計時される経過時間Ｔを取得する。なお、経過時間取得部５２３は、タイマ制御部５２２を含めて本発明の経過時間取得部に相当する。
【００４１】
点灯切替制御部５２４は、経過時間取得部５２３により取得された経過時間Ｔに応じて、ＬＥＤ３１，３２の点灯・消灯を切り替える。点灯切替制御部５２４は、経過時間比較部５２４１と、点滅データ取得部５２４２とを備えている。
経過時間比較部５２４１は、記憶部５３に記録されている基準残り時間Ｔ０を読み込む。次に、オフタイマ時間ＴＯＦＦから、経過時間取得部５２３で取得された経過時間Ｔを引いた残り時間（ＴＯＦＦ−Ｔ）を算出する。そして、経過時間比較部５２４１は、算出された残り時間（ＴＯＦＦ−Ｔ）が基準残り時間Ｔ０以下であるか否かを判定する。
【００４２】
点滅データ取得部５２４２は、記憶部５３に格納された点滅データベース５３１を探索し、基準残り時間Ｔ０に対応する点滅データＤを読み取る。なお、この点滅データ取得部５２４２の具体的な作用は後述する。
ＬＥＤ制御部５２５は、点滅データ取得部５２４２で読み取られた点滅データＤに基づいて、ＬＥＤ駆動部５５，５６を制御してＬＥＤ３１，３２を点滅させる。
なお、点灯切替制御部５２４は、ＬＥＤ制御部５２５を含めて本発明の点灯切替制御部に相当する。
【００４３】
〔制御手段５の作用〕
次に、図２〜図５を参照して、制御手段５の作用を説明する。制御手段５は、オフタイマ設定信号およびオフタイマ実行信号に応じて、リアプロジェクタ１のオフタイマ処理を実行する。
図３は、このオフタイマ処理を説明するためのフロー図である。
入力信号取得部５１は、制御手段５に入力する入力信号を監視しており、操作手段４から出力するオフタイマ設定信号が入力したか否かを判定している（Ｓ１）。オフタイマ設定信号が入力しない場合、入力信号取得部５１は、入力信号の監視を続行する。
【００４４】
一方、オフタイマ設定信号が入力した場合、オフタイマ処理部５２のオフタイマ設定部５２１を構成する設定画面表示部５２１１は、液晶パネル２５１に制御信号を出力してスクリーン上にオフタイマ設定画面を表示させ、ユーザにオフタイマ時間ＴＯＦＦの入力を促す（Ｓ２）。
そして、入力信号取得部５１は、制御手段５に入力する入力信号を監視しており、操作手段４から出力するオフタイマ実行信号が入力したか否かを判定している（Ｓ３）。オフタイマ実行信号が入力しない場合、入力信号取得部５１は、入力信号の監視を続行する。
一方、オフタイマ実行信号が入力した場合、オフタイマ時間取得部５２１２は、オフタイマ設定画面上においてユーザにより入力されたオフタイマ時間ＴＯＦＦを取得する（Ｓ４）。
さらに、タイマ制御部５２２は、タイマ５８にオフタイマ決定信号取得時からの経過時間Ｔを計時させる（Ｓ５）。
ここで、オフタイマ処理部５２は、引き数ｃ＝１を設定する（Ｓ６）。
【００４５】
点滅データ取得部５２４２は、引き数ｃに基づいて記憶部５３に格納された点滅データベース５３１（図４）を探索し、引き数ｃに対応する点滅データＤを読み込む（Ｓ７）。例えば、引き数ｃ＝１の場合、図４に示すように、点滅データＤは、橙点灯間隔すなわち橙色ＬＥＤ３１の点灯間隔が９．５〔秒〕、緑点灯間隔すなわち緑色ＬＥＤ３２の点灯間隔が０．５〔秒〕である。
【００４６】
そして、ＬＥＤ制御部５２５は、ＬＥＤ駆動部５５，５６を制御し、処理Ｓ７で読み込まれた点滅データＤに基づいてＬＥＤ３１，３２の点灯・消灯を切替させる（Ｓ８）。例えば、点滅データＤが前述の例である場合、ＬＥＤ制御部５２５は、ＬＥＤ駆動部５５，５６を制御して、橙色ＬＥＤ３１を点灯９．５秒および消灯０．５秒で点滅させ、緑色ＬＥＤ３２を点灯０．５秒消灯９．５秒で点滅させる。なお、橙色ＬＥＤ３１および緑色ＬＥＤ３２は、点灯および消灯を交互に繰り返している。
【００４７】
ここで、オフタイマ処理部５２は、引き数ｃ＝５であるか否かを判定する（Ｓ９）。引き数ｃ＝５でない場合、オフタイマ処理部５２は処理Ｓ１０に進む。一方、引き数ｃ＝５である場合、電源オフ処理部５４は、電源オフ処理を実行し、リアプロジェクタ１の電源を遮断する（Ｓ１３）。
【００４８】
処理Ｓ１０において、経過時間取得部５２３は、タイマ５８に計時されている経過時間Ｔを取得する。
経過時間比較部５２４１は、引き数ｃを用いて基準残り時間Ｔ０＝ｎｏｋｏｒｉ（ｃ）の値を求める。なお、引き数ｃに応じたｎｏｋｏｒｉ（ｃ）の値は、予め表１に示すように設定され、記憶部５３に記録されている。例えば、引き数ｃ＝１のとき、基準残り時間Ｔ０＝ｎｏｋｏｒｉ（１）＝５〔分〕である。
【００４９】
【表１】
2007248873.tif 000003
【００５０】
そして、経過時間比較部５２４１は、処理Ｓ４で取得されたオフタイマ時間ＴＯＦＦと、処理Ｓ１０で取得された経過時間Ｔとの差である残り時間（ＴＯＦＦ−Ｔ）を算出する。経過時間比較部５２４１は、当該残り時間（ＴＯＦＦ−Ｔ）が、基準残り時間ｎｏｋｏｒｉ（ｃ）以下であるか否かを判定する（Ｓ１１）。
残り時間（ＴＯＦＦ−Ｔ）が基準残り時間Ｔ０＝ｎｏｋｏｒｉ（ｃ）より大きい場合、処理Ｓ１０に戻り、経過時間取得部５２３は、再度、タイマ５８に計時されている経過時間Ｔを取得する。
一方、残り時間（ＴＯＦＦ−Ｔ）が基準残り時間Ｔ０＝ｎｏｋｏｒｉ（ｃ）以下である場合、オフタイマ処理部５２は、引き数ｃに対しｃ＝ｃ＋１の計算を行う（Ｓ１２）。そして、処理Ｓ７に戻り、点滅データ取得部５２４２は、点滅データベース５３１（図４）を探索し、引き数ｃに対応する点滅データＤを読み込む。
【００５１】
なお、処理Ｓ９において引き数ｃ＝５である場合に、電源オフ処理部５４が電源オフ処理を実行した。これは、電源オフ処理部５４が、オフタイマ時間ＴＯＦＦが経過したと判断したためである。具体的には、処理Ｓ１１において、引き数ｃ＝４である場合、経過時間比較部５２４１は、基準残り時間Ｔ０＝ｎｏｋｏｒｉ（４）＝０〔分〕を取得する。そして、処理Ｓ１１において残り時間（ＴＯＦＦ−Ｔ）が基準残り時間Ｔ０以下、すなわち、残り時間（ＴＯＦＦ−Ｔ）＝０と判定されたことで、処理Ｓ１２で引き数ｃ＝５を得ることになる。従って、引き数ｃ＝５である場合、電源オフ処理部５４は、残り時間（ＴＯＦＦ−Ｔ）＝０、すなわち、オフタイマ時間ＴＯＦＦが経過したと判断できるのである。
【００５２】
本実施形態では、基準残り時間Ｔ０＝ｎｏｋｏｒｉ（ｃ）に、表１に示すように、引き数ｃが増えるに従って５〔分〕から１〔分〕へ減少する値が設定されている。また、点滅データベース５３１（図４）では、引き数ｃが増えるに従って、橙色ＬＥＤ３１の点灯間隔が短くなるように設定されている。
【００５３】
このような構成によれば、本実施形態における橙色ＬＥＤ３１および緑色ＬＥＤ３２は、次のように点滅する。
図３に示すオフタイマ処理では、残り時間（ＴＯＦＦ−Ｔ）が、引き数ｃにおける基準残り時間Ｔ０以下と判定される（Ｓ１１）と、引き数ｃを１増加して（Ｓ１２）、この引き数ｃに応じた点滅データＤに基づいてＬＥＤ３１，３２が点滅制御される（Ｓ８）。このように、残り時間（ＴＯＦＦ−Ｔ）が減少するにつれて引き数ｃが増加していき、橙色ＬＥＤ３１が、より点滅間隔の短い点滅データＤに基づいて点滅される。すなわち、図５に示すように、残り時間（ＴＯＦＦ−Ｔ）が減少するにつれて、橙色ＬＥＤ３１の点灯間隔が短くなっていく。
【００５４】
図５は、橙色ＬＥＤ３１および緑色ＬＥＤ３２の点滅挙動を模式的に示したグラフである。図５に示すように、残り時間（ＴＯＦＦ−Ｔ）が基準残り時間Ｔ０以下となるたびに、橙色ＬＥＤ３１の点灯時間は短くなり、電源オフ間近では、橙色ＬＥＤ３１および緑色ＬＥＤ３２が素早く点滅している。
このように、残り時間（ＴＯＦＦ−Ｔ）の減少に応じて、ＬＥＤ３１，３２の点滅間隔が序々に短縮されていく。従って、ユーザは、このＬＥＤ３１，３２の点滅間隔の変化から、リアプロジェクタ１のオフタイマ機能による電源オフまであとどのくらいであるかを把握することができる。
【００５５】
〔前記実施形態の変形〕
本発明を実施するための最良の構成などは、以上の記載で開示されているが、本発明はこれに限定されるものではない。すなわち、前記実施形態は、本発明を限定するものではないから、それらの形状、材質などの限定の一部若しくは全部の限定を外した部材の名称での記載は、本発明に含まれるものである。
【００５６】
本発明では、橙色ＬＥＤ３１および緑色ＬＥＤ３２の点滅挙動は、残り時間（ＴＯＦＦ−Ｔ）が減少するにつれて点滅間隔が速くなればよく、各ＬＥＤ３１，３２の点灯・消灯時間、および、点滅間隔の変化量など細部の設定は限定されるものではない。
例えば、図６に示すような点滅データベース５３１Ａを用いた変形例について説明する。点滅データベース５３１Ａの点滅データＤＡでは、引き数ｃが増加するにつれて、橙色点灯時間および緑色点灯時間がそれぞれ短くなっていく。すると、本変形例では、図７に示すように、残り時間（ＴＯＦＦ−Ｔ）が基準残り時間Ｔ０以下となるたびに、各ＬＥＤ３１，３２の点滅間隔が短くなり、電源オフ間近では、ＬＥＤ３１，３２が素早く点滅することになる。
【００５７】
前記実施形態では、発光色の異なる２つのＬＥＤ３１，３２の点滅間隔の変化によって、オフタイマ機能による電源オフまであとどのくらいであるかをユーザに報知する構成とした。しかしながら、本発明は、１つのＬＥＤの点滅間隔の変化によって報知する構成であってもよい。
【００５８】
前記実施形態では、光学ユニット２が平面視略Ｌ字形状を有した構成を説明したが、これに限らず、例えば、平面視略Ｕ字形状を有した構成を採用してもよい。
また、前記実施形態では、光束入射面と光束射出面とが異なる透過型の液晶パネル２５１を用いていたが、光入射面と光射出面とが同一となる反射型の液晶パネルを用いてもよい。
さらに、前記実施形態のリアプロジェクタ１では、３つの液晶パネル２５１Ｒ，２５１Ｇ，２５１Ｂを用いたが、本発明はこれに限らない。すなわち２つ、あるいは、４つ以上の液晶パネルを用いたプロジェクタにも、本発明を適用可能である。
【００５９】
前記実施形態では、液晶パネル２５１を備えたリアプロジェクタ１を例示したが、入射光束を画像情報に応じて変調して光学像を形成する光変調装置であれば、他の構成の光変調装置を採用してもよい。例えば、マイクロミラーを用いたデバイスなど、液晶層以外の光変調装置を用いたプロジェクタに対して、本発明を適用することも可能である。このような光変調装置を用いた場合、光束入射側および光束射出側の偏光板２５２，２５３は、省略することができる。
前記実施形態では、光源ランプとして高圧水銀ランプ２１１を採用しているが、本発明では、メタルハライドランプ、ハロゲンランプ、ＬＥＤ（Light Emitting Diode）、レーザ光源等を採用することもできる。
前記実施形態では、表示画像装置としてリアプロジェクタ１を例示したが、フロントプロジェクタ、プラズマディスプレイ、液晶ディスプレイ、ＣＲＴ（Cathode Ray Tube）ディスプレイ、モニタ付デジタルカメラ、および、モニタ付プリンタ等を採用してもよい。
【図面の簡単な説明】
【００６０】
【図１】本発明の第１実施形態に係る光学ユニットの光学系を示す模式平面図。
【図２】前記実施形態に係る制御手段およびその周辺部の機能的構成を示すブロック図。
【図３】前記実施形態に係る制御手段の作用を説明するためのフロー図。
【図４】前記実施形態に係る点滅データベースを説明するための模式図。
【図５】前記実施形態に係る橙色ＬＥＤおよび緑色ＬＥＤの点滅挙動を説明するためのグラフ。
【図６】前記実施形態の変形例に係る点滅データベースを説明するための模式図。
【図７】前記変形例に係る橙色ＬＥＤおよび緑色ＬＥＤの点滅挙動を説明するためのグラフ。
【符号の説明】
【００６１】
１…リアプロジェクタ（画像表示装置）、３１…橙色ＬＥＤ（発光部）、３２…緑色ＬＥＤ（発光部）、４…操作手段、５…制御手段、５１…入力信号取得部、５２１１…設定画面表示部、５２１２…オフタイマ時間取得部、５２２…タイマ制御部（経過時間取得部）、５２３…経過時間取得部、５２４…点灯切替制御部、５２５…ＬＥＤ制御部（点灯切替制御部）、５８…タイマ（計時手段）、Ｔ…経過時間、Ｔ０…基準残り時間、（ＴＯＦＦ−Ｔ）…残り時間、ＴＯＦＦ…オフタイマ時間。
【図１】
2007248873.tif 000004
【図２】
2007248873.tif 000005
【図３】
2007248873.tif 000006
【図４】
2007248873.tif 000007
【図５】
2007248873.tif 000008
【図６】
2007248873.tif 000009
【図７】
2007248873.tif 000010